(57)【要約】【課題】  乾燥した状態でノズル面がワイピングされることによるノズル面の傷の発生を防止する。【解決手段】  ノズル面１７のワイピングを行う際に、ノズル１６からインク滴が吐出せず、かつ、インクがノズル面１７に溢れるような駆動電圧の電圧波形を各圧電素子６０に印加する。これにより、（Ｂ）図に示すように、ノズル１６の周囲にインク溢れ８０が形成される。その直後に、ワイパーブレード１８を矢印Ａ方向に移動させることで、（Ｄ）図に示すように、ワイパーブレード１８とノズル面１７との接触部が濡れた状態となり、ノズル面１７が傷つくのを防止できる。また、ノズル面１７の固着物も除去できる。【選択図】  図５
2006218747.tif 000002
【特許請求の範囲】
【請求項１】
圧力室内のインクに圧力波を作用させて複数のノズルからインク滴を吐出するインクジェット記録ヘッドと、
前記インクジェット記録ヘッドのノズル面をワイピングするワイパーと、
インク滴が吐出せず、かつ、インクが前記ノズル面に溢れるような駆動波形を駆動素子に印加する駆動波形印加手段と、
ワイピングを行う際に、ワイピングの開始前に前記駆動波形印加手段を駆動し、インクが前記ノズル面に溢れた状態で前記ワイパーを動作させる制御手段と、
を有することを特徴とするインクジェット記録装置。
【請求項２】
前記駆動波形は、前記圧力室を収縮させてから膨張させるような波形であることを特徴とする請求項１に記載のインクジェット記録装置。
【請求項３】
前記駆動波形の立ち上げ時間と立ち下げ時間を、前記圧力室の固有周期よりも長く設定することを特徴とする請求項１に記載のインクジェット記録装置。
【請求項４】
前記駆動波形の立ち上げ時間と立ち下げ時間を、前記圧力室の固有周期の整数倍に設定することを特徴とする請求項１に記載のインクジェット記録装置。
【請求項５】
前記駆動波形の電位差は、インク滴を吐出するときの印字波形の電位差の１／２倍から１倍の範囲とすることを特徴とする請求項１に記載のインクジェット記録装置。
【請求項６】
前記駆動波形の印加周波数を、インク滴を吐出するときの印字波形の印字周波数の１／２倍から１倍の範囲とすることを特徴とする請求項１に記載のインクジェット記録装置。
【請求項７】
前記駆動波形の印加周波数を、１８ｋＨｚから２０ｋＨｚまでの範囲とすることを特徴とする請求項１に記載のインクジェット記録装置。
【請求項８】
インクの吸引を行わないでインクジェット記録ヘッドのノズル面をワイピングするワイピング方法であって、
前記ワイピングを開始する前に、インク滴が吐出せず、かつ、インクが前記ノズル面に溢れるような駆動波形を駆動素子に印加し、
インクを前記ノズル面に溢れさせた状態で前記ノズル面をワイピングすることを特徴とするワイピング方法。
【発明の詳細な説明】
【技術分野】
【０００１】
本発明は、複数のノズルから記録媒体にインク滴を吐出して画像を記録するインクジェット記録装置、及びこのインクジェット記録装置のノズル面のワイピング方法に関する。
【背景技術】
【０００２】
従来、複数のノズルからインク滴を吐出し、用紙等の記録媒体に印字を行うインクジェット記録装置は、小型で安価、静寂性等の種々の利点があり、広く市販されている。特に、圧電素子を用いて圧力室内の圧力を変化させてインク滴を吐出するピエゾインクジェット方式の記録装置は、高速印字、高解像度が得られる等、多くの利点を有している。
【０００３】
このようなインクジェット記録装置においては、インクジェット記録ヘッド（以下、記録ヘッドという）に対してワイパーによってワイピングを行う際、ワイパーもしくは記録ヘッド表面が乾いている状態でワイピングを行うと（ドライワイピング）、ノズル表面を傷つけることが懸念される。また、ドライワイピングでは、記録ヘッド表面に付着している固着物を除去しきれないという問題もある。一方、気泡巻き込みやインク増粘からの回復のためにインク吸引を行った直後にワイピングを行う場合は、ノズル表面には大量のインクが残留しているため、ワイパーが乾いている状態でワイピングを行ってもウエットワイピングとなり問題は無い。
【０００４】
例えば、一部のノズルで吐出不良が発生してそのノズル周囲が汚れてしまい、結果として吐出方向不良が発生するような状況においては、インクの吸引は必要ではなく、ワイピングのみを行うことで吐出状態が回復することがある。この際、不良ノズルからある程度距離の離れたノズル周囲にはインクによる汚れは発生していないため、このままワイピングを行うと、これらのノズルではドライワイピングとなり都合が悪い。これを回避するためには、（１）不良ノズルのみワイピングを行う、（２）ワイパー自体を濡らす、（３）吸引を行いノズル面全体を濡らす、（４）吐出を行いながらワイピングを行うことでワイパーを濡らす、といった手法が考えられる。
【０００５】
しかし、（１）の手法は、不良ノズルの特定手法の確立や特定ノズルのみをワイピングするための機構が必要となり、現実的ではない。（２）の手法は、ワイパーを濡らすための機構が新たに必要となり好ましくない。（３）の手法は、特に新たな機構を必要としないが、インク消費量が増大してしまうため好ましくない。（４）の手法は、吐出したインク滴によって装置内を汚してしまうという欠点がある。
【０００６】
一方、ノズル周囲に付着したインクを除去するための手段として、例えば、インクが吐出せずにノズル周囲に広がる波形の電圧を印加して、ノズル周囲に付着したインクミストと溢れさせたインクを合体させ、背圧や表面張力を利用してインクをノズル内部に吸引する手法が提案されている（例えば、特許文献１参照）。
【０００７】
しかし、特許文献１に記載の手法では、ワイパーによる記録ヘッドのワイピングを行わないため、ノズル周囲しかきれいにならない。また、紙粉などのインク以外の汚れがノズル内部に吸収されてしまうという欠点がある。
【特許文献１】特開平３−２９３１４０号公報
【発明の開示】
【発明が解決しようとする課題】
【０００８】
本発明は、上記問題点に鑑みてなされたものであり、ノズル面にインクを溢れさせることでウエットワイピングを実現し、記録ヘッド表面の傷の発生を防止すると共に、固着物を除去することを可能とするインクジェット記録装置及びワイピング方法を提供することを目的とする。
【課題を解決するための手段】
【０００９】
上記の目的を達成するために、請求項１に記載の発明に係るインクジェット記録装置は、圧力室内のインクに圧力波を作用させて複数のノズルからインク滴を吐出するインクジェット記録ヘッドと、前記インクジェット記録ヘッドのノズル面をワイピングするワイパーと、インク滴が吐出せず、かつ、インクが前記ノズル面に溢れるような駆動波形を駆動素子に印加する駆動波形印加手段と、ワイピングを行う際に、ワイピングの開始前に前記駆動波形印加手段を駆動し、インクが前記ノズル面に溢れた状態で前記ワイパーを動作させる制御手段と、を有することを特徴としている。
【００１０】
請求項１に記載の発明では、ノズル面のワイピングを行う際に、駆動波形印加手段によってワイピングの開始前にインク滴が吐出せず、かつ、インクがノズル面に溢れるような駆動波形を駆動素子に印加する。そして、インクがノズル面に溢れた状態で制御手段によってワイパーを動作させてノズル面をワイピングする。これにより、ワイピング開始直後からワイパーとインクジェット記録ヘッドの接触面が濡れた状態となり、乾いた状態でワイピングを行う場合と比べて、摩擦によりノズル面が傷つくことが軽減される。また、濡れた状態でワイピングを行うことで、ノズル面に付着した固着物を除去することが可能となる。
【００１１】
請求項２に記載の発明は、請求項１に記載のインクジェット記録装置において、前記駆動波形は、前記圧力室を収縮させてから膨張させるような波形であることを特徴としている。
【００１２】
請求項２に記載の発明では、圧力室を収縮させてから膨張させるような駆動波形を印加することで、印加直後にインクがノズル内部に入り込みにくく、インク滴が吐出せず、かつ、インクがノズル面に溢れた状態を形成することが可能となる。
【００１３】
請求項３に記載の発明は、請求項１に記載のインクジェット記録装置において、前記駆動波形の立ち上げ時間と立ち下げ時間を、前記圧力室の固有周期よりも長く設定することを特徴としている。
【００１４】
請求項３に記載の発明では、駆動波形の立ち上げ部と立ち下げ部の時間を、圧力室の固有周期よりも長く設定することで、インク滴が吐出せずにインクがノズル面に溢れた状態を形成することが可能となる。
【００１５】
請求項４に記載の発明は、請求項１に記載のインクジェット記録装置において、前記駆動波形の立ち上げ時間と立ち下げ時間を、前記圧力室の固有周期の整数倍に設定することを特徴としている。
【００１６】
請求項４に記載の発明では、駆動波形の立ち上げ時間と立ち下げ時間を、圧力室の固有周期の整数倍に設定することで、インク滴が吐出せずにインクがノズル面に溢れた状態を形成することが可能となる。
【００１７】
請求項５に記載の発明は、請求項１に記載のインクジェット記録装置において、前記駆動波形の電位差は、インク滴を吐出するときの印字波形の電位差の１／２倍から１倍の範囲とすることを特徴としている。
【００１８】
請求項５に記載の発明では、駆動波形の電位差は、インク滴を吐出するときの印字波形の電位差の１／２倍から１倍の範囲とすることで、インク滴が吐出せずにインクがノズル面に溢れた状態を形成することが可能となる。
【００１９】
請求項６に記載の発明は、請求項１に記載のインクジェット記録装置において、前記駆動波形の印加周波数を、インク滴を吐出するときの印字波形の印字周波数の１／２倍から１倍の範囲とすることを特徴としている。
【００２０】
請求項６に記載の発明では、駆動波形の印加周波数を、インク滴を吐出するときの印字波形の印字周波数の１／２倍から１倍の範囲とすることで、インク滴が吐出せずにインクがノズル面に溢れた状態を形成することが可能となる。
【００２１】
請求項７に記載の発明は、請求項１に記載のインクジェット記録装置において、前記駆動波形の印加周波数を、１８ｋＨｚから２０ｋＨｚまでの範囲とすることを特徴としている。
【００２２】
請求項７に記載の発明では、駆動波形の印加周波数を、可聴域でない１８ｋＨｚから２０ｋＨｚまでの範囲とすることで、駆動波形の印加時に耳障りな音が発生するのを防止できる。
【００２３】
請求項８に記載の発明は、インクの吸引を行わないでインクジェット記録ヘッドのノズル面をワイピングするワイピング方法であって、前記ワイピングを開始する前に、インク滴が吐出せず、かつ、インクが前記ノズル面に溢れるような駆動波形を駆動素子に印加し、インクを前記ノズル面に溢れさせた状態で前記ノズル面をワイピングすることを特徴としている。
【００２４】
請求項８に記載の発明では、インクの吸引を行わないでノズル面のワイピングを行うに際して、ワイピングを開始する前に、インク滴が吐出せずにインクがノズル面に溢れるような駆動波形を駆動素子に印加する。そして、インクがノズル面に溢れた状態でノズル面をワイピングする。これにより、ワイピング開始直後からワイパーとインクジェット記録ヘッドの接触面が濡れた状態となり、乾いた状態でワイピングを行う場合と比べて、摩擦によりノズル面が傷つくことが軽減される。また、濡れた状態でワイピングを行うことで、ノズル面に付着した固着物を除去することが可能となる。
【発明の効果】
【００２５】
本発明によれば、ワイピング開始直後からワイパーとインクジェット記録ヘッドの接触面が濡れた状態となるため、摩擦によりノズル面が傷つくことを防止できると共に、ノズル面に付着した固着物を除去できる。
【発明を実施するための最良の形態】
【００２６】
以下、本発明のインクジェット記録装置の最良の実施の形態を図面に基づいて説明する。
【００２７】
図１には、本発明の一実施形態であるインクジェット記録装置１０の概略構成が示されている。
【００２８】
図１に示すように、インクジェット記録装置１０は、記録媒体としての用紙Ｐが搬送可能となっている。この用紙Ｐの搬送路の上部には、用紙Ｐの最大幅よりも幅広のインクジェット記録ヘッド（以下、記録ヘッドという）１２が備えられている。この記録ヘッド１２は、複数の単位ヘッド１４で構成されており、搬送される用紙Ｐの上流側と下流側とで千鳥状に配置されている。
【００２９】
図２及び図３に示すように、単位ヘッド１４の底面（用紙Ｐとの対向面）には、複数のノズル１６が形成されており、これらのノズル１６から画像情報に応じたインク滴が吐出される。したがって、画像記録が完了した用紙Ｐ上では、記録ヘッド１２の上流側に位置する単位ヘッド１４Ａによって記録された領域と、記録ヘッド１２の下流側に位置する単位ヘッド１４Ｂによって記録された領域とが、用紙Ｐの幅方向に沿って交互に並ぶこととなる。
【００３０】
ここで、搬送される用紙Ｐの幅方向で隣り合う単位ヘッド１４Ａ、１４Ｂ同士では、単位ヘッド１４Ａ、１４Ｂの端部が互いにオーバーラップするように配置されており、印字領域内で印字できない領域が発生しないようにしている。
【００３１】
このように、単位ヘッド１４Ａ、１４Ｂを用紙Ｐの幅方向に沿って並べ、印字領域を構成することで、記録ヘッド１２は用紙Ｐの幅方向に沿って移動する必要はなく、用紙Ｐの移動によって用紙Ｐの全面に画像が形成されるため、高い生産性を得ることができる。
【００３２】
また、図１に示すように、記録ヘッド１２の下方部には、単位ヘッド１４のノズル面１７をワイピングするゴム製のワイパーブレード１８が配設されている。このワイパーブレード１８は先端面が水平となっており、先端側が露出した状態で箱状のワイパーホルダ２０内に収容されている。
【００３３】
ワイパーホルダ２０の両側底面からは、支持片２０Ａ、２０Ｂがそれぞれ記録ヘッド１２の幅方向に沿って張り出しており、先端部がベルト２２、２４に固定されている。ベルト２２は、プーリ２６、２８に巻き掛けられた状態で、用紙Ｐの搬送方向と平行に配置され、ベルト２４は、図示を省略したプーリと、プーリ３０に巻き掛けられた状態で、用紙Ｐの搬送方向と平行に配置されている。そして、プーリ２６とプーリ３０はシャフト３２によって連結され、プーリ２８と図示しないプーリはシャフト３４によって連結されている。
【００３４】
プーリ２８には、ギア３６が連結されている。このギア３６は、モータ３８に連結されたギア４０と噛合っており、モータ３８が駆動すると、ギア４０、３６を介してプーリ２８に駆動力が伝達されるようになっている。そして、この駆動力によってプーリ２８が回転すると、シャフト３４を介して図示しないプーリが回転すると共に、ベルト２２、２４を介してプーリ２６、３０が回転する。このとき、ベルト２２、２４は用紙Ｐの移動方向と平行に移動するため、支持片２０Ａ、２０Ｂ及びワイパーホルダ２０を介してワイパーブレード１８が矢印Ａ方向に沿って移動可能となる。
【００３５】
なお、ワイパーブレード１８は、記録ヘッド１２の幅方向の全幅に形成されているが、複数の単位ヘッド１４ごとに区切って複数のワイパーブレードを幅方向に配設し、複数のワイパーブレードをそれぞれ駆動して各単位ヘッド１４をワイピングするように構成してもよい。
【００３６】
図３に示すように、単位ヘッド１４は、複数のノズル１６が形成されたノズルプレート５０の上方に、流路形成プレート５２と、連通孔プレート５４と、圧力室プレート５６と、振動板５８とが位置合わせして積層され、接着剤などの接合手段によって接合されている。
【００３７】
流路形成プレート５２には、ノズル１６と通じる複数の連通孔６２が形成されており、連通孔プレート５４には、複数の連通孔６４が形成されている。これらのノズル１６、連通孔６２、及び連通孔６４は互いに連通し、圧力室プレート５６に形成された圧力室６６に繋がっている。
【００３８】
一方、流路形成プレート５２には、複数のインクプール６８が形成されており、図示しないインク供給口からインクが供給されるようになっている。また、連通孔プレート５４には、インクプール６８と連結するように複数の供給孔７０が形成されている。これらのインクプール６８、供給孔７０及び圧力室６６は、流路形成プレート５２と連通孔プレート５４と圧力室プレート５６が積層された状態で連通している。
【００３９】
また、振動板５８の上部には、各圧力室６６の上方に圧電素子６０が取り付けられている。圧電素子６０は、それぞれ図２に示す駆動ユニット７２に設けられた回路基板（図示せず）に接続されており、回路基板（図示せず）から駆動電圧が印加されるように構成されている。
【００４０】
このような記録ヘッド１２では、図３に示すように、インクプール６８から供給孔７０、圧力室６６、連通孔６４、連通孔６２及びノズル１６へと連続するインクの通路が形成されており、インクプール６８に貯留されたインクは、供給孔７０を経て圧力室６６内に充填される。そして、回路基板（図示せず）から各圧電素子６０に駆動電圧を印加すると、圧電素子６０とともに振動板５８が撓み変形し、圧力室６６を膨張又は圧縮させる。これによって圧力室６６に体積変化が生じると、圧力室６６内に圧力波が発生する。この圧力波の作用によってインクが運動し、ノズル１６から外部へインク滴が吐出される。
【００４１】
このインクジェット記録装置１０では、ノズル１６からインクの吸引を行わないでワイピングを行う際、ワイピングの開始前に回路基板（図示せず）から各圧電素子６０に、インク滴が吐出せずにインクがノズル面１７に溢れるような状態となる電圧波形（駆動波形）の駆動電圧を印加する。その後、駆動ユニット７２（図２参照）は図１に示すモータ３８を回転させ、ワイパーブレード１８を矢印Ａ方向に移動させてノズル面１７をワイピングする。
【００４２】
図４には、このワイピングの際に圧電素子６０に印加する駆動電圧の電圧波形（駆動波形）の一例が示されている。また、図５には、この駆動電圧が印加された際の単位ヘッド１４のインクの挙動が（Ａ）から（Ｅ）へと順に示されている。
【００４３】
図４から分かるようにこの電圧波形は三角波であり、圧力室６６を収縮させる方向へと電圧を上昇させ、次いで、圧力室６６を膨張させる方向へと電圧を降下させる。ここで、この電圧波形の立ち上げ時間（上昇部分の時間）と立ち下げ時間（降下部分の時間）は、圧力室６６の固有周期よりも長く設定されている。これにより、ノズル１６からインク滴が吐出せず、かつ、インクがノズル面１７に溢れるような状態を形成することが可能となる。
【００４４】
次に、図４に示す駆動電圧を印加したときのインクジェット記録装置１０の作用であって、本実施形態のノズル面１７のワイピング方法について説明する。
【００４５】
このワイピング方法では、ノズル１６からインクの吸引を行わないでノズル面１７のワイピングを行う。図５（Ａ）に示すように、インクの吸引を行わずノズル面１７が乾いている状態では、ノズル面１７にインクミストによる汚れが付着又は固着している。ワイピングを開始する前に、各圧電素子６０（図３参照）に図４に示す駆動電圧を印加する。この駆動電圧は、ノズル１６からインク滴が吐出しない程度で、かつ、インクが溢れるような電圧波形に設定されている。これにより、図５（Ｂ）に示すように、ノズル１６近傍のノズル面１７にインク溢れ（Face Flood）８０が発生する。駆動電圧を印加した直後、図５（Ｃ）に示すように、モータ３８（図１参照）を回転させてワイパーブレード１８を矢印Ａ方向に移動させ、ノズル面１７のワイピングを行う。
【００４６】
このワイピングによって、図５（Ｄ）に示すように、インク溢れ（Face Flood）８０がワイパーブレード１８で掻き取られ、インクがワイパーブレード１８の先端部に溜まる。このため、ワイピングの開始直後からワイパーブレード１８とノズル面１７との接触部がウエットな状態となる。更に、図５（Ｅ）に示すように、ワイパーブレード１８とノズル面１７との接触部がウエットな状態でノズル面１７がワイピングされる。このため、ノズル面１７が乾いた状態でワイピングされることがなく、摩擦によりノズル面１７が傷つくことを防止できる。また、ノズル面１７の汚れなどの固着物を除去することができる。
【００４７】
このワイピング方法では、ノズル面１７にインク溢れを形成した後、駆動電圧を停止してからワイピングを行っても良いし、駆動電圧を印加したままワイピングを行っても良い。どちらがより良いワイピングを行えるかは、ノズル１６の径、ノズル１６の形状、インクの粘度、ノズル面１７の撥水能力、インクの背圧（水頭差）、ワイパーブレード１８の材質などの要因によって変化する。
【００４８】
駆動電圧を停止した場合に、ノズル面１７に溢れたインクがノズル１６の内部に引き戻されるときは、駆動電圧を印加したままワイピングを行うように設定する。また、ワイパーブレード１８が通過する瞬間に駆動電圧を停止させても良い。
【００４９】
この記録ヘッド１２では、ノズル面１７にインク溢れ（Face Flood）８０を形成するため（図５参照）、各圧電素子６０（図３参照）に印加する駆動電圧の電圧波形を適切な条件に設定する必要がある。そこで、駆動電圧の電圧波形の立ち上げ時間、立ち下げ時間、印加周波数、最大部と最小部の電位差の好ましい条件を調べた。
【００５０】
表１に示すように、電圧波形として図４に示す三角波を用い、電圧波形の立ち上げ時間、立ち下げ時間、印加周波数を変化させてインク溢れ（Face Flood）の状態を評価した。
【００５１】
【表１】
2006218747.tif 000003
表１のインク溢れ（Face Flood）の評価において、「◎」は、インク溢れ（Face Flood）がうまくいくこと、「△」は、インク溢れが十分でないこと、「×」は、インク滴の吐出や気泡の巻き込みなどが生じること、「−」は、電圧波形の長さが吐出周期を超えてしまうことをそれぞれ示している。
【００５２】
表１から、電圧波形の立ち上げ時間と立ち下げ時間は、圧力室６６（図３参照）の固有周期の１倍以上が好ましいことが分かる。特に、電圧波形の立ち上げ時間と立ち下げ時間を圧力室６６の固有周期の整数倍に設定すると、インク溢れ（Face Flood）がうまくいくことが分かる。また、圧力室６６の固有周期の整数倍とすることで、製造バラツキが少なくなる。
【００５３】
また、表１から、電圧波形の印加周波数は、画像記録時（インク滴を吐出するとき）に印加する印字波形の印字周波数の１／２倍以上、特に、印字波形の印字周波数の１／２倍から１倍の範囲が好ましい。また、電圧波形の印加周波数を１８ｋＨｚから２０ｋＨｚの範囲に設定すると、可聴域でないため、耳障りでないことが分かった。
【００５４】
また、電圧波形の電位差（図４参照）によるインク溢れの状態を調べたところ、電圧波形の電位差は、画像記録時（インク滴を吐出するとき）に印加する印字波形の電位差の１／２倍から１倍の範囲が好ましいことが確認された。すなわち、電位差は、インク滴が吐出しない程度でなるべく大きくするのが好ましい。電圧波形を画像記録時の印字波形の電位差の１倍としても、画像記録時の印字波形は図４に示す電圧波形よりも立ち上げ時間と立ち下げ時間が短い（傾きが大きい）ので、インク滴は吐出しない。なお、図４では、三角波の立ち上げ時間と立ち下げ時間が同じであるが、必ずしも同じに設定する必要はない。立ち上げ時間と立ち下げ時間を変えても、ノズル面１７にインク溢れを形成することが可能である。
【００５５】
本実施形態のインクジェット記録装置１０では、具体的には、圧力室６６の固有周期は８μｓｅｃ〜２０μｓｅｃに設定されている。また、電圧波形の立ち上げ時間、立ち下げ時間は８μｓｅｃ〜４０μｓｅｃ、電圧波形の電位差は１０Ｖ〜４０Ｖ、電圧波形の印加周波数は１８ｋＨｚ〜２０ｋＨｚに設定することが好ましい。
【００５６】
なお、本実施形態では、ワイピング時の駆動電圧の電圧波形は三角波であったが、これに限定するものではない。例えば台形波などでもよい。
【００５７】
なお、本実施形態では、インクの吸引を行わないでワイピングを行っているが、これに限定するものではない。インクの吸引を行うか行わないかを区別することなく、本発明を適用することが可能である。
【００５８】
以上のような実施形態のインクジェット記録装置は、用紙Ｐ上へ画像（文字を含む）を記録するものであったが、これに限定されるものではない。すなわち、記録媒体は紙に限定されるものでなく、また、吐出する液体もインクに限定されるものではない。例えば、高分子フィルムやガラス上にインクを吐出してディスプレイ用カラーフィルターを作成したり、溶接状態の半田を基板上に吐出して部品実装用のバンプを形成したりする等、工業用的に用いられる液滴噴射装置全般に含まれる。
【図面の簡単な説明】
【００５９】
【図１】本発明の一実施形態に係るインクジェット記録装置を示す部分斜視図である。
【図２】図１に示すインクジェット記録装置の記録ヘッド及びワイパーブレードを示す部分構成図である。
【図３】図１に示すインクジェット記録装置の記録ヘッドを示す部分断面図である。
【図４】ワイピング時に圧電素子に印加する駆動電圧の電圧波形を示す図である。
【図５】ワイピング時のインクジェット記録装置の動作を説明する図である。
【符号の説明】
【００６０】
１０   インクジェット記録装置
１２   記録ヘッド（インクジェット記録ヘッド）
１４   単位ヘッド
１６   ノズル
１７   ノズル面
１８   ワイパーブレード（ワイパー）
２０   ワイパーホルダ
２２   ベルト
２４   ベルト
２６   プーリ
２８   プーリ
３０   プーリ
３２   シャフト
３４   シャフト
３６   ギア
３８   モータ
４０   ギア
５０   ノズルプレート
５２   流路形成プレート
５４   連通孔プレート
５６   圧力室プレート
５８   振動板
６０   圧電素子（駆動素子）
６２   連通孔
６４   連通孔
６６   圧力室
６８   インクプール
７０   供給孔
７２   駆動ユニット（駆動波形印加手段、制御手段）
Ｐ     用紙
【図１】
2006218747.tif 000004
【図２】
2006218747.tif 000005
【図３】
2006218747.tif 000006
【図４】
2006218747.tif 000007
【図５】
2006218747.tif 000008